(57)【要約】【課題】呼制御プロトコルを利用して原稿の画像データを送受信するファクシミリ装置において、原稿の画像データを送信するとともに、受信側のユーザを電話口まで呼び出すことなく、音声によりメッセージを伝えることができるファクシミリ装置を提供すること。【解決手段】ＳＩＰにより確立したメディアセッションで画像データを受信する画像データ受信手段と、ＳＩＰメソッドによりテキストデータを受信するテキストデータ受信手段と、該手段により受信したテキストデータを音声データに変換して音声出力する手段と、を備えるファクシミリ装置３０。【選択図】図９
2006025180.tif 000002
【特許請求の範囲】
【請求項１】
呼制御プロトコルにより確立したメディアセッションで画像データを受信する画像データ受信手段と、前記呼制御プロトコルのメソッドによりテキストデータを受信するテキストデータ受信手段と、該手段により受信したテキストデータを音声データに変換して音声出力する手段と、を備えることを特徴とするファクシミリ装置。
【請求項２】
呼制御プロトコルにより確立したメディアセッションで画像データを受信する画像データ受信手段と、前記呼制御プロトコルのメソッドによりテキストデータを受信するテキストデータ受信手段と、複数の音声データを記憶する音声データ記憶手段と、受信したデータの種類に従って前記音声データ記憶手段が記憶している複数の音声データの中から何れかを選択し、選択した音声データを音声出力する手段と、を備えることを特徴とするファクシミリ装置。
【発明の詳細な説明】
【技術分野】
【０００１】
本発明は、ＳＩＰ（Session  Initiation  Protocol）等の呼制御プロトコルを利用して、画像データ及びテキストデータの送受信を行うファクシミリ装置に関する。
【背景技術】
【０００２】
近年、ＩＰ電話通信、電子メール通信など、ＩＰ網を通じて種々のデータ通信を行う通信装置が普及しており、音声データと画像データの両方についてデータ通信を行うファクシミリ装置も提案されている。例えば、特許文献１に開示されているように、ＩＰ電話通信機能とＩＴＵ−Ｔ勧告Ｔ．３８に準拠したＩＰファクシミリ通信機能を備え、ＩＰ電話通信とＩＰファクシミリ通信による送受信を同時に行うことができるファクシミリ装置がある。
【特許文献１】特開２００２−１０１２５６号公報
【発明の開示】
【発明が解決しようとする課題】
【０００３】
特許文献１に係るファクシミリ装置では、画像データと音声データの両方について同時にデータ通信を行うことができるため、原稿送信者は、原稿の画像データを相手先へ送信しながら、音声通話によりその原稿についてのコメント等を受信者に伝えることができる。しかし、そのためには、電話を掛けて相手を電話口（ファクシミリ装置のハンドセット）まで呼び出さなければならず、相手が何時も忙しくしており、伝えるべきコメントの内容が些細な場合は、コメントを控えざるを得ない場合がある。簡単なコメントであれば、それを用紙に記載して原稿とともに画像データとして送信することも可能であるが、そうすると、送信側と受信側で各１枚の用紙を余分に消費しなければならならない。
【０００４】
本発明は、かかる課題に鑑みてなされたものであり、呼制御プロトコルを利用して原稿の画像データを送受信するファクシミリ装置において、原稿の画像データを送信するとともに、受信側のユーザを電話口まで呼び出すことなく、音声によりメッセージを伝えることができるファクシミリ装置を提供することを目的とする。
【課題を解決するための手段】
【０００５】
請求項１記載のファクシミリ装置は、呼制御プロトコルにより確立したメディアセッションで画像データを受信する画像データ受信手段と、前記呼制御プロトコルのメソッドによりテキストデータを受信するテキストデータ受信手段と、該手段により受信したテキストデータを音声データに変換して音声出力する手段と、を備えることを特徴としている。
【０００６】
請求項２記載のファクシミリ装置は、呼制御プロトコルにより確立したメディアセッションで画像データを受信する画像データ受信手段と、前記呼制御プロトコルのメソッドによりテキストデータを受信するテキストデータ受信手段と、複数の音声データを記憶する音声データ記憶手段と、受信したデータの種類に従って前記音声データ記憶手段が記憶している複数の音声データの中から何れかを選択し、選択した音声データを音声出力する手段と、を備えることを特徴としている。
【発明の効果】
【０００７】
請求項１記載のファクシミリ装置によれば、送信者が指定したテキストデータの内容が受信側において音声により読み上げられるため、受信側のユーザは、ファクシミリ装置の電話口（ハンドセット）まで足を運ぶことなく、送信者のコメント等を音声により確認することができる。また、電子メールの本文にテキストデータを記載して送信するインターネットファクシミリ装置などでは、原稿の画像データとテキストデータが１つの纏まったファイルとして送受信されるため、原稿の画像データの受信とテキストデータの受信を別個独立して行うことができなかったが、本発明によればそれが可能であり、種々の利点が生じる。例えば、本ファクシミリ装置によれば、送信側から「今から原稿１００頁送信しますので、用紙を補充しておいて下さい。」等を内容とするテキストデータを原稿画像データの受信に先立って受信した場合には、その旨が受信側ファクシミリ装置において音声により報知されるので、受信側ファクシミリ装置のユーザは、用紙を補充して多数頁の原稿の受信にあらかじめ備えることができる。
【０００８】
請求項２記載のファクシミリ装置によれば、受信側ユーザは、受信したデータの種類、例えば画像データを受信したのか、テキストデータを受信したのか、或いはその両方を受信したのか、を音声により確認することができる。
【発明を実施するための最良の形態】
【０００９】
以下本発明の第１の実施の形態に係るファクシミリ装置として、呼制御プロトコルを利用して原稿の画像データを送信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。
【００１０】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１１】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、短縮番号やワンタッチキーに対応付けられた宛先ファクシミリ番号、宛先ＩＰ電話番号等を格納する電話帳４ａが記憶されている。さらに、宛先ＩＰ電話番号（宛先情報）や送信する原稿の種別（送信する画像データの種別）と対応付けてテキストデータが登録されている。例えば、図２に示すように、宛先ＩＰ電話番号ごとにテキストデータを登録（記憶）する第１テーブル４ｂ、図３に示すように、送信する原稿の種別ごとにテキストデータを登録（記憶）する第２テーブル４ｃがＲＡＭ４に形成されている。なお、テーブル４ｂ、４ｃの「テキストデータ」欄に示す「メッセージＡ」、「メッセージＢ」等は、ユーザが任意に登録したテキストデータを意味する。
【００１２】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００１３】
読取部９は、原稿の画像データを読取るものであり、例えば、ＣＣＤカラーラインセンサ、Ａ／Ｄコンバータ、画像処理回路等で構成される。記録部１０は、給紙カセットから記録紙を取り出して、受信画像データ、読取画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、スタートキー、文字入力キー、ファンクションキーなど各種の操作キーを具備し、ユーザによる各種の操作は、この操作部７において行われる。
【００１４】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ、ルータ１９等と通信を行う。更にはルータ１９を通じてＩＰ網１７上の自装置１と同様のファクシミリ装置１８とＳＩＰを利用したＩＰファクシミリ通信を行う。
【００１５】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）などを実装して、ＳＩＰによりメディアセッションを確立した上で、例えばＲＴＰにより原稿の画像データを相手先と送受信する。また、ＳＩＰメソッド「ＭＥＳＳＡＧＥ」を使用して相手先とテキストデータの送受信を行う機能をも備える。画像データの送受信を行うための通信プロトコルは、ＲＴＰに限定されず、これに代えてＳＭＴＰ、ＨＴＴＰ等を採用してもよい。
【００１６】
次に、上記構成及び通信機能を備えるファクシミリ装置１が自装置１と同様の構成及び通信機能を備えるファクシミリ装置とＩＰファクシミリ通信により画像データ及びテキストデータを送信する際の処理動作について、図４に示すシーケンス図並びに図５及び図６に示すフローチャートに基づいて、より詳細に説明する。なお、これらの図に基づいて説明するファクシミリ装置１の処理動作は、それぞれ、ＲＯＭ３に格納された制御プログラムに基づいて制御手段であるＣＰＵ２が発行する命令に従って実行される。以下説明の便宜のため、発呼側となるファクシミリ装置１を送信機１Ａ、被呼側となるファクシミリ装置１を受信機１Ｂと称して説明する。
【００１７】
まず、ＩＰファクシミリ通信により送信機１Ａと受信機１Ｂの間で画像データ及びテキストデータが送受信される際の通信手順を図４のシーケンス図に基づいて説明する。送信機１Ａにおいて、送信操作がなされると、送信機１Ａと受信機１Ｂの間で、図示するようなメディアセッションを確立するための呼制御セッションが形成される。すなわち、送信機１Ａは、ＳＩＰサーバ２０に対し受信機１ＢのＩＰ電話番号を指定した、セッション参加リクエスト「ＩＮＶＩＴＥ」により受信機１Ｂの呼出を要求する（Ｔ１）。「ＩＮＶＩＴＥ」を受けたＳＩＰサーバ２０は、送信機１Ａから指定されたＩＰ電話番号に対応するＩＰアドレスを、ＩＰ電話番号とＩＰアドレスの対応付け情報を持つロケーションサーバ（不図示）に問い合わせて、取得した受信機１ＢのＩＰアドレスに対して、送信機１Ａから受けた「ＩＮＶＩＴＥ」を送出することにより呼び出しを行う。ＳＩＰサーバ２０の呼出しに対して受信機１Ｂが応答すると、受信機１Ｂは、「ＩＮＶＩＴＥ」を受信し、ＳＩＰサーバ２０に対して成功応答コード「２００」を送出する（Ｒ１）。前記成功応答コード「２００」を受け取った送信機１Ａは、成功応答コード「２００」を受け取ったことを示す情報「ＡＣＫ」をＳＩＰサーバ２０を介して受信機１Ｂに送信する（Ｔ２）。その後、送信機１Ａと受信機１Ｂとの間に、メディアセッションが確立され、送信機から受信機１Ｂへ画像データが送信される。
【００１８】
ユーザにより指定されたテキストデータは（テキストデータの指定については後述する。）、メディアセッションが確立されている間、メディアセッションにおける画像データの送信処理と別個独立したタイミングでＳＩＰメソッド「ＭＥＳＳＡＧＥ」によって受信機１Ｂへ送信される（Ｔ３）。すなわち、ユーザにより指定されたテキストデータは、画像データの送信処理と同時に、或いは、前記画像データの送信処理に前後して、ＳＩＰメソッド「ＭＥＳＳＡＧＥ」によって受信機１Ｂへ送信される。なお、ＳＩＰメソッドは、指定された任意のテキストデータを相手先へ送信することができるものであれば、これに限定されず、その他のメソッドを使用してもよい。
【００１９】
受信機１Ｂは、送信機１Ａから受信した画像データ、テキストデータに対して、それぞれ所定の処理を施す。例えば、受信画像データに対しては、印刷処理、転送処理、画面表示処理等を行い、受信テキストデータに対しては、印刷処理、画面表示処理等を行う。また、受信機１Ｂにおいて、予めテキストデータと特定の処理動作を対応付けて記憶しておき、受信したテキストデータをコマンドとみなして対応する処理動作を実行するようにしてもよい。
【００２０】
送信機１Ａから受信機１Ｂへの画像データ及びテキストデータの送信処理が完了すると、送信機１Ａからセッションの終了を要求する「ＢＹＥ」がＳＩＰサーバ２０を介して受信機１Ｂへ送信され（Ｔ４）、受信機１Ｂが、成功応答コード「２００」をＳＩＰサーバ２０を介して送信機１Ａへ送信した後（Ｒ３）、通信が切断される。
【００２１】
次に、送信機１Ａの上記処理動作について、図５及び図６に示すフローチャートに基づいて更に詳細に説明する。
【００２２】
送信機１Ａにおいて、宛先電話番号（宛先情報）が、直接入力指定され、あるいは、短縮・ワンタッチ機能を利用して指定されると（Ｓ１）、指定された宛先電話番号からＩＰファクシミリ送信を行うか、Ｇ３ファクシミリ送信を行うかが判断される（Ｓ２）。該判断は、例えば電話番号の特定の桁に基づいて行われる。
【００２３】
Ｇ３ファクシミリ送信を行うと判断した場合は（Ｓ２：ＮＯ）、送信開始操作（スタートキーの押下など）があった後（Ｓ３：ＹＥＳ）、原稿の画像データをＧ３ファクシミリ通信により指定された電話番号の相手先装置へ送信する（Ｓ４）。
【００２４】
ＩＰファクシミリ送信を行うと判断した場合は（Ｓ２：ＹＥＳ）、テキストデータを送信するか否かの指示をユーザに求めるための処理動作として、例えば「テキストデータも送信しますか？」等の問合せ表示を行うとともに、その問合せ表示に対する肯定／否定指示操作（例えばＹ／Ｎの操作部１２からの入力）を受付ける。そして、肯定指示操作が行われたことによりテキストデータも送信すると判断した場合に（Ｓ５：ＹＥＳ）、ユーザの所定操作によりテキストデータが指定される（Ｓ６）。
【００２５】
ユーザによるテキストデータの指定は、前記Ｓ１で指定されたＩＰ電話番号に対応付けて第１テーブル４ｂに登録されたテキストデータからの選択、原稿の種別に対応付けて第２テーブル４ｃに登録されたテキストデータからの選択、又はユーザが直接文字等を入力操作することにより行われる。より具体的には、送信機１Ａは、前記Ｓ５で肯定判断をした後、例えば図７に示すような、テキストデータの指定方式を選択するための画面２２を表示部１１に表示する（Ｓ１０１）。該画面２２においては、「ＩＰ電話番号に対応付けて登録したテキストデータから選択する。」、「原稿種別に対応付けて登録したテキストデータから選択する。」、「直接入力する。」等の選択可能な項目が表示される。所定操作により何れかの項目が選択されると、それぞれ対応する画面２３、２４、２５が表示部１１に表示される。
【００２６】
「ＩＰ電話番号に対応付けて登録したテキストデータから選択する。」と表示された項目が選択されると（Ｓ１０２：宛先対応）、第１テーブル４ｂにおいて前記Ｓ１で指定されたＩＰ電話番号に対応付けて記憶されているテキストデータを選択可能に表示するテキストデータ選択画面２３が表示部１１に表示される（Ｓ１０３）。該画面２３において表示されたテキストデータの何れかが所定操作により選択されると、その選択結果が、後にテキストデータが送信されるまで、ＲＡＭ４に記憶される（Ｓ１０４）。
【００２７】
「原稿種別に対応付けて登録したテキストデータから選択する。」と表示された項目が選択されると（Ｓ１０２：原稿種別対応）、第２テーブル４ｃに登録されている原稿種別を選択可能に表示する原稿種別選択画面２４が表示部１１に表示される（Ｓ１０５）。該画面２４において表示された原稿種別の何れかが所定操作により選択されると、その選択結果が、後にテキストデータが送信されるまで、ＲＡＭ４に記憶される（Ｓ１０６）。
【００２８】
「直接入力する。」と表示された項目が選択されると（Ｓ１０２：直接入力）、例えば図示するようなテキストデータの入力画面２５を表示部１１に表示し（Ｓ１０７）、操作部１１のキー操作等によりテキストデータが直接入力操作された場合に、その入力されたテキストデータが後に送信されるまで記憶される（Ｓ１０８）。
【００２９】
前記Ｓ６の処理動作を実行した後又は前記Ｓ５において否定判断した後、送信開始指示操作（スタートキーの押下など）がなされると（Ｓ７）、送信機１Ａは、受信機１Ｂとの間で前記Ｔ１、Ｔ２等の呼制御セッションを形成して、メディアセッションを確立した上で（Ｓ８）、原稿の画像データの送信処理を行う（Ｓ９）。ここで送信される原稿の画像データは、読取部９によって読取られた原稿の画像データ、クライアントＰＣからファクシミリ送信命令とともに受け取った画像データ、予め自装置１に蓄積された画像データ等である。
【００３０】
そして、前記Ｓ５で肯定判断をした場合は（Ｓ１０：ＹＥＳ）、前記Ｓ１０４、Ｓ１０６又はＳ１０８において記憶した選択結果又は入力されたテキストデータに基づいて、指定された送信すべきテキストデータを読み出す。すなわち、Ｓ１０４の処理動作を実行した場合は、選択された宛先ＩＰ電話番号に対応付けられたテキストデータから選択されたものを、指定されたテキストデータとして、ＳＩＰメソッド「ＭＥＳＳＡＧＥ」により受信機１Ｂへ送信する（Ｓ１１）。Ｓ１０６の処理動作を実行した場合は、選択された原稿種別（画像データの種別）に対応付けられたテキストデータを、指定されたテキストデータとして、ＳＩＰメソッド「ＭＥＳＳＡＧＥ」により受信機１Ｂへ送信する（Ｓ１１）。Ｓ１０８の処理動作を実行した場合は、入力されたテキストデータを指定されたテキストデータとして、ＳＩＰメソッド「ＭＥＳＳＡＧＥ」により受信機１Ｂへ送信する（Ｓ１１）。その後、セッション終了を要求する「ＢＹＥ」を送出して受信機１Ｂとの間の通信を切断する。一方、前記Ｓ５で否定判断をした場合は（Ｓ１０：ＮＯ）、前記Ｓ１１の処理動作を行わずに「ＢＹＥ」を送出して通信を切断する（Ｔ４）。
【００３１】
なお、本実施の形態においては、Ｓ９の画像データの送信処理を行った後、Ｓ１１のテキストデータの送信処理を行っているが、Ｓ９の画像データの送信処理を行う前に、Ｓ１０及びＳ１１の処理動作を行って、テキストデータの送信処理を行うようにしてもよい。また、Ｓ９の画像データを送信処理をしながら、Ｓ１０及びＳ１１の処理動作を行って、テキストデータを送信するようにしてもよい。
【００３２】
また、本実施の形態においては、テキストデータを宛先ＩＰ電話番号や原稿種別と対応させて記憶しているが、テキストデータを他の情報と対応付けずに独立した形でＲＡＭ４の所定領域に複数登録しておき、前記Ｓ６において、登録されたそれらのテキストデータを選択可能に表示部１１に表示し、選択されたものを指定された送信すべきテキストデータとして前記Ｓ１１において送信するようにしてもよい。後に説明する第２の実施の形態においても同様である。
【００３３】
つぎに、本発明の第２の実施の形態に係るファクシミリ装置について、図面に基づいて説明する。第２の実施の形態に係るファクシミリ装置は、第１の実施の形態に係るファクシミリ装置と概ね同様の構成及び通信機能を備え、更に、ＳＩＰメソッド「ＭＥＳＳＡＧＥ」により受信したテキストデータの内容を音声により読み上げる機能等を備える。なお、第２の実施の形態においてもテキストデータを送信するためのＳＩＰメソッドは、「ＭＥＳＳＡＧＥ」に限定されず、ユーザにより指定された任意のテキストデータを送信できるものであれば、その他の種類のものを使用してもよい。
【００３４】
図８に第２の実施の形態に係るファクシミリ装置３０の構成例を示す。すなわち、第２の実施の形態に係るファクシミリ装置３０は、図１に示した第１の実施の形態に係るファクシミリ装置１の構成において、音声信号発生部Ｘと、該音声信号発生部Ｘから出力された音声信号により音声を発生するスピーカＺとを更に備える。
【００３５】
音声信号発生部Ｘは、受信テキストデータを音声データに変換し、Ｄ／Ａ変換等のデータ処理を施してスピーカＺへ出力する。具体的には、音声信号発生部Ｘは、各種テキストデータに対応した音声信号を保有しており、ＣＰＵ２から受信テキストデータの文字情報を受けて、各種テキストデータに対応する音声信号を保有データの中から順次読み出し、Ｄ／Ａ変換等のデータ処理を施してスピーカＺへ出力する。これにより、ＳＩＰメソッド「ＭＥＳＳＡＧＥ」により受信したテキストデータの内容がスピーカＺから音声出力される（即ち、受信したテキストデータの内容が読み上げられる）。なお、音声出力される前記テキストデータは、主に、「あいうえお」、「ＡＢＣ」などのように人が発音可能な文字に対応した文字データである。また、音声信号発生部Ｘは、ＣＰＵ２から音声データを受けた場合にその音声データに対してＤ／Ａ変換等のデータ処理を施してスピーカＺへ出力する手段としても機能する。
【００３６】
ＲＡＭ４の所定領域には、図８に示すように、３種類の音声データＷ１乃至Ｗ３が登録（記憶）されている。音声データＷ１は、ファクシミリを受信した旨、例えば「ファックスを受信しました。」をその音声内容とするものである。音声データＷ２は、テキストデータを受信した旨、例えば「メッセージを受信しました。」をその音声内容とするものである。音声データＷ３は、ファクシミリとテキストデータの両方を受信した旨、例えば「ファックスとメッセージを受信しました。」をその音声内容とするものである。ＣＰＵ２は、送信側ファクシミリ装置から受信したデータの種類に従って、これら複数の音声データＷ１乃至Ｗ３から何れかを選択し、選択した音声データを音声信号発生部Ｘに送出する。そして、音声信号発生部Ｘによって音声データＷ１等に、Ｄ／Ａ変換処理等が施されてスピーカからその内容が音声出力される。なお、受信するデータの種類としては、画像データのみを受信する場合、テキストデータのみを受信する場合、あるいは画像データとテキストデータの両方を受信する場合がある。
【００３７】
以下、第２の実施の形態に係るファクシミリ装置３０が画像データを受信する際に実行する処理動作について図面に基づいて詳細に説明する。なお、第１の実施の形態に係るファクシミリ装置と同様の構成及び処理動作については、図面において同一符号を付してその説明を省略する。例えば、ファクシミリ装置３０が画像データ及びテキストデータを送信する際に実行する処理動作は第１の実施の形態と同様であるのでその説明は省略する。また、説明の便宜のため、第２の実施の形態においても、発呼側となるファクシミリ装置３０を送信機３０Ａ、被呼側となるファクシミリ装置３０を受信機３０Ｂと称して説明する。
【００３８】
図９に第２の実施の形態に係るファクシミリ装置３０同士で原稿の画像データ及びテキストデータを送受信する際に形成される手順を示す。すなわち、送信機３０Ａと受信機３０Ｂはメディアセッションを確立した上で画像データの送受信を行うとともに、Ｔ３において送信機３０Ａは、前記画像データの送信処理と別個独立したタイミングでＳＩＰメソッド「ＭＥＳＳＡＧＥ」により、例えば図示するような、テキストデータ３２を受信機３０Ｂへ送信する。すなわち、テキストデータは、画像データの送信処理と同時に、或いは、前記画像データの送信処理に前後して、ＳＩＰメソッド「ＭＥＳＳＡＧＥ」によって受信機１Ｂへ送信される。なお、原稿の画像データの送信処理を１回行うに当たりＳＩＰメソッド「ＭＥＳＳＡＧＥ」によるテキストデータの送信処理を複数回行うようにしてもよい。
【００３９】
受信機３０Ｂは、送信機３０Ａから、原稿の画像データとテキストデータ３２を受信すると、画像データについては記録部１０にて印刷出力し、テキストデータ３２については、その内容を読み上げる処理動作を実行する。
【００４０】
かかる受信機３０Ｂが実行する処理動作を、図１０に示すフローチャートに基づいて更に詳細に説明する。すなわち、受信機３０Ｂにおいて、メディアセッションで画像データが受信され、さらにＳＩＰメソッド「ＭＥＳＳＡＧＥ」によりテキストデータが受信された場合に（Ｓ２０１：ＹＥＳ）、ＲＡＭ４に音声データＷ３が登録（記憶）されているか否かを判別される。登録されていると判別された場合に（Ｓ２０２：ＹＥＳ）、当該音声データＷ３が読み出され、音声信号発生部ＸによってＤ／Ａ変換処理等が施されてスピーカＺから例えば「ファックスとメッセージを受信しました。」とのアナウンス音声が再生（出力）される（Ｓ２０３）。
【００４１】
次いで、ＳＩＰメソッド「ＭＥＳＳＡＧＥ」により受信したテキストデータ３２が抽出されて（Ｓ２０４）、そのテキストデータ３２の文字情報が音声信号発生部Ｘへ送出され、音声信号発生部Ｘにおいて、その文字情報に対応する音声信号が順次読み出されてＤ／Ａ変換等のデータ処理が施された後にスピーカＺへ出力される。これによりスピーカＺからＳＩＰメソッド「ＭＥＳＳＡＧＥ」により受信したテキストデータの内容、例えば「・・さん宛に見積書を送付します」が音声出力される（Ｓ２０５）。そして最後に、受信した画像データに対する処理、例えば機器設定に従った画像データの配信処理、印刷処理等が実行される（Ｓ２０６）。
【００４２】
一方、受信機３０Ｂにおいて、メディアセッションで画像データを受信したものの、テキストデータを受信しなかった場合は（Ｓ２０１：ＮＯ、Ｓ２０７：画像データのみを受信）、ＲＡＭ４に「音声データＷ２」が登録されているか否かが判別され、登録されている場合に（Ｓ２０８：ＹＥＳ）、当該音声データＷ２が読み出され、音声信号発生部ＸによってＤ／Ａ変換処理等が施されてスピーカＺから例えば「ファックスを受信しました。」とのアナウンス音声が再生（出力）される（Ｓ２０９）。そして、通常のファクシミリ受信処理、例えば機器設定に従った画像データの配信処理、印刷処理等が実行される（Ｓ２１０）。
【００４３】
また一方、受信機３０Ｂにおいて、ＳＩＰメソッド「ＭＥＳＳＡＧＥ」によりテキストデータを受信したものの、画像データを受信しなかった場合は（Ｓ２０７：テキストデータのみを受信）、ＲＡＭ４に「音声データＷ３」が登録されているか否かが判別され、登録されている場合に（Ｓ２１１：ＹＥＳ）、当該音声データＷ３が読み出され、音声信号発生部ＸによってＤ／Ａ変換処理等が施されてスピーカＺから例えば「メッセージを受信しました。」とのアナウンス音声が再生（出力）される（Ｓ２１２）。次いで、ＳＩＰメソッド「ＭＥＳＳＡＧＥ」により受信したテキストデータが抽出され（Ｓ２１３）、そのテキストデータの文字情報が音声信号発生部Ｘへ送出される。そして、音声信号発生部Ｘにおいて、テキストデータに対応する音声信号が順次読み出されてＤ／Ａ変換等のデータ処理が施された後にスピーカＺへ出力される。これによりスピーカＺからＳＩＰメソッド「ＭＥＳＳＡＧＥ」により受信したテキストデータの内容、例えば「先ほど送信した見積書を・・・さんにも回覧してください」等の内容、が音声出力される（Ｓ２１４）。
【００４４】
以上の説明から明らかなように、本発明の第２の実施の形態に係るファクシミリ装置３０によれば、原稿の画像データを送信するとともに、ユーザが任意に指定したコメントが受信側において音声により読み上げられるため、受信側のユーザは、ファクシミリ装置の電話口（ハンドセット）まで足を運ぶことなく、送信者のコメントを音声により確認することができる。
【産業上の利用可能性】
【００４５】
本発明は、例えば、ＳＩＰにより確立したメディアセッションで画像データを送受信するファクシミリ装置に適用することができる。
【図面の簡単な説明】
【００４６】
【図１】本発明の実施の形態に係るファクシミリ装置の構成例等を示した図である。
【図２】宛先ＩＰ電話番号（宛先情報）とテキストデータを対応付けて登録したテーブルの一例を示す図である。
【図３】原稿種別とテキストデータを対応付けて登録したテーブルの一例を示す図である。
【図４】本発明の実施の形態に係るファクシミリ装置同士がＩＰファクシミリ通信を実行する際に形成する通信手順の一例の概略を示したシーケンス図である。
【図５】本発明の実施の形態に係るファクシミリ装置がＩＰファクシミリ送信又はＧ３ファクシミリ送信する際に実行する処理動作を示したフローチャートである。
【図６】テキストデータの指定が行われる際に実行される発呼側ファクシミリ装置の処理動作を示したフローチャートである。
【図７】テキストデータの指定が行われる際に発呼側ファクシミリ装置において表示される表示画面の具体例を示した図である。
【図８】本発明の第２の実施の形態に係るファクシミリの構成例を示した図である。
【図９】本発明の第２の実施の形態に係るファクシミリ装置同士がＩＰファクシミリ通信を実行する際に形成する通信手順の一例の概略を示したシーケンス図である。
【図１０】本発明の第２の実施の形態に係る被呼側ファクシミリ装置が各種のデータを受信する際に実行する処理動作を示したフローチャートである。
【符号の説明】
【００４７】
１、１Ａ、１Ｂ、３０、３０Ａ、３０Ｂ    ファクシミリ装置
２    ＣＰＵ
３    ＲＯＭ
４    ＲＡＭ
４ｂ    宛先情報とテキストデータを対応付けて記憶する第１テーブル
４ｃ    原稿種別とテキストデータを対応付けて記憶する第２テーブル
２０  ＳＩＰサーバ
２３    テキストデータの選択指定画面
２４    原稿種別の選択指定画面
２５    テキストデータの入力画面
３２    呼制御プロトコルのメソッドにより送信されるテキストデータ
Ｗ１乃至Ｗ３    音声データ
Ｘ    音声信号発生部
Ｚ    スピーカ
【図１】
2006025180.tif 000003
【図２】
2006025180.tif 000004
【図３】
2006025180.tif 000005
【図４】
2006025180.tif 000006
【図５】
2006025180.tif 000007
【図６】
2006025180.tif 000008
【図７】
2006025180.tif 000009
【図８】
2006025180.tif 000010
【図９】
2006025180.tif 000011
【図１０】
2006025180.tif 000012